(57)【特許請求の範囲】
【請求項１】
リール本体の左右の側板間に設けられ、釣糸が巻回されるスプールと、
前記リール本体に設けられ、スプールを回転駆動する駆動モータと、
前記駆動モータの出力を調整する操作部材と、
前記スプールをフリー回転状態から釣糸巻き取り状態へと切り換え操作するためのクラッチＯＮ操作部と、
前記スプールを釣糸巻き取り状態からフリー回転状態へと切り換え操作するためのクラッチＯＦＦ操作部と、
を有する魚釣用電動リールにおいて、
前記スプールのフランジ外周近傍における前記側板間に、前記操作部材、前記クラッチＯＮ操作部、および、前記クラッチＯＦＦ操作部が配置され、
前記操作部材は、前記スプールのフランジ外周近傍における前記側板のいずれか一方の内側壁部に沿って変位可能に設けられることを特徴とする魚釣用電動リール。
【請求項２】
前記操作部材は、前記スプールをサミング操作する手の親指で操作可能であることを特徴とする請求項１に記載の魚釣用電動リール。
【請求項３】
前記操作部材は、前記スプールの回転軸をほぼ中心とする円弧状の経路に沿ってスライド操作可能であることを特徴とする請求項１または請求項２に記載の魚釣用電動リール。
【請求項４】
前記操作部材が略水平面内で回転操作可能であることを特徴とする請求項１または請求項２に記載の魚釣用電動リール。
【請求項５】
前記クラッチＯＮ操作部が前記スプールのフランジ外周近傍における前記側板の内面に配置されていることを特徴とする請求項１ないし請求項４のいずれか１項に記載の魚釣用電動リール。
【発明の詳細な説明】
【技術分野】
【０００１】
本発明は魚釣用電動リールに関する。
【背景技術】
【０００２】
従来、魚釣用電動リールは、主に深場の釣りに適用させるべく、仕掛けの放出から巻き取りに至るまで、釣竿を船縁に装着された竿掛けに置いたままの状態で行えるように構成されたものが多いが、最近では、手持ち状態での操作が行い易いように工夫されたものが知られている。
【０００３】
例えば、魚釣用電動リールのスプールを巻き取り操作する（モータ出力を連続的に可変操作する）ための操作部材を、様々な位置に配置することが知られている。例えば、特許文献１には、制御ケースの上面から円板状の回転摘み（操作部材）の一部を露出させ、上方から親指を押し付けながら回転操作することで、モータ出力を連続的に可変させる構成が開示されている。
【先行技術文献】
【特許文献】
【０００４】
【特許文献１】特開２００３−９２９５９号
【発明の概要】
【発明が解決しようとする課題】
【０００５】
上記したように、最近の魚釣用電動リールでは、ルアーフィッシングに用いられる魚釣用（ベイトキャスティング）リールと同様、好ましくは片手による手持ち状態で操作することが可能なタイプも望まれているが、従来のモータ出力を調整する操作部材の配置を工夫した魚釣用電動リールでは、操作性の面でさらに改良すべき余地がある。具体的には、単なる仕掛けの上げ下ろしのスピーディさは勿論のこと、特に、「仕掛け落下」、「サミング（仕掛け落下速度調整）」、「待機」、「シャクリ操作」、「フッキング」、「釣糸巻き取り操作」などの一連の操作を釣竿と共にリール本体を握持している手で違和感なく容易に行えることが、魚釣用電動リールの小型化に加えて、操作面において要望されている。
【０００６】
しかしながら、上記した従来のタイプの魚釣用電動リールでは、これらの一連の操作を手持ち状態で行うことが難しい。すなわち、特許文献１に開示される構成では、サミング状態から釣糸巻き取り操作を行う場合、サミングしている親指を、一旦、スプールフランジや釣糸巻回面から上方に離間させて、スプール上方の側板間上面に配置されている前記操作部材へと移動させる必要があるため、操作のスムーズ性に欠ける。
【０００７】
本発明は、上記した問題に着目してなされたものであり、スプールのサミング操作から釣糸巻き取り操作へと至る一連の操作を、リール本体を握持する手の指でスムーズに行うことができる魚釣用電動リールを提供することを目的とする。
【課題を解決するための手段】
【０００８】
前記課題を解決するために、請求項１に記載の発明は、リール本体の左右の側板間に設けられ、釣糸が巻回されるスプールと、前記リール本体に設けられ、スプールを回転駆動する駆動モータと、前記駆動モータの出力を調整する操作部材と、前記スプールをフリー回転状態から釣糸巻き取り状態へと切り換え操作するためのクラッチＯＮ操作部と、前記スプールを釣糸巻き取り状態からフリー回転状態へと切り換え操作するためのクラッチＯＦＦ操作部とを有する魚釣用電動リールにおいて、前記スプールのフランジ外周近傍における前記側板間に、前記操作部材、前記クラッチＯＮ操作部、および、前記クラッチＯＦＦ操作部が配置され、前記操作部材は、前記スプールのフランジ外周近傍における前記側板のいずれか一方の内側壁部に沿って変位可能に設けられることを特徴とする。
【０００９】
この請求項１に記載の発明によれば、スプールのフランジ外周近傍における側板のいずれか一方の内側壁部に操作部材が変位可能に設けられているため、スプールのサミング操作から釣糸巻き取り操作へと至る一連の操作を、リール本体を握持する手の指でスムーズに行うことができる。一般に、リール本体を掌で保持しながらスプール（フランジ外周や釣糸巻回部など）をサミング操作する親指は、スプールの回転軸（スプール軸）に対して斜めに位置した状態で当接されるのが自然である。本構成のように、モータ出力を調整する操作部材をスプールのフランジ外周近傍における側板の内側側壁に変位可能に設ければ、サミング操作する親指をその斜めに位置したままの状態で前方に移行させるだけで（スプールのサミング状態から無理のない親指の移行操作で）モータをスムーズに駆動操作できる。
【００１０】
また、請求項２に記載の発明は、請求項１に記載の発明において、前記操作部材は、スプールをサミング操作する手の親指で操作可能であることを特徴とする。
【００１１】
この請求項２に記載の発明によれば、請求項１に記載の発明と同様の作用効果が得られるとともに、操作部材は、スプールをサミング操作する手の親指で操作可能であるため、スプールのサミング操作から釣糸巻き取り操作へと至る一連の操作を、リール本体を握持する手の指で、特にサミングしている親指をスプールフランジや釣糸巻回面から完全に離間させることなく、スムーズに行うことも可能になる。なお、本構成において、「スプールをサミング操作する手の親指で操作部材を操作可能」とは、少なくとも操作部材の操作し始めの時点で、サミングしている親指をスプールフランジや釣糸巻回面から上方に離間させることなく操作できることを意味する。
【００１２】
また、請求項３に記載の発明は、請求項１または請求項２に記載の発明において、前記操作部材は、前記スプールの回転軸をほぼ中心とする円弧状の経路に沿ってスライド操作可能であることを特徴とする。
【００１３】
この請求項３に記載の発明によれば、請求項１または請求項２に記載の発明と同様の作用効果が得られるとともに、操作部材がスプールの回転軸をほぼ中心とする円弧状の経路に沿ってスライド操作可能であるため、操作部材を操作する指の操作方向がスプールの回転方向に沿った前後方向となり、スムーズな操作が可能となる。
【００１４】
また、請求項４に記載の発明は、請求項１または請求項２に記載の発明において、前記操作部材が略水平面内で回転操作可能であることを特徴とする。
【００１５】
この請求項４に記載の発明によれば、請求項１または請求項２に記載の発明と同様の作用効果が得られるとともに、操作部材が略水平面内で回転操作可能であるため、操作部材の設置スペースを小さく確保しつつ大きな操作範囲を得ることができ、モータ出力の微調整が可能となる。また、操作部材を操作する指の操作方向がスプールの回転方向に沿った前後方向となり、スムーズな操作が可能となる。
【００１６】
また、請求項５に記載の発明は、請求項１ないし請求項４のいずれか１項に記載の発明において、前記クラッチＯＮ操作部が前記スプールのフランジ外周近傍における前記側板の内面に配置されていることを特徴とする。
【００１７】
この請求項５に記載の発明によれば、請求項１ないし請求項４のいずれか１項に記載の発明と同様の作用効果が得られるとともに、クラッチＯＮ操作部がスプールのフランジ外周近傍における側板の内面に配置されているため、クラッチＯＦＦ操作による釣糸繰り出しから、クラッチＯＮ操作、更には、釣糸巻き取りへと至る一連の操作の際、常にサミング操作を行なうことができる。
【発明の効果】
【００１８】
本発明によれば、スプールのサミング操作から釣糸巻き取り操作へと至る一連の操作を、リール本体を握持する手の指でスムーズに行うことができる魚釣用電動リールが得られる。
【図面の簡単な説明】
【００１９】
【図１】本発明の第１の実施形態に係る魚釣用電動リールの平面図。
【図２】内部機構が部分的に示される図１に示す魚釣用電動リールの平面図。
【図３】図１のＡ−Ａ線に沿う断面図。
【図４】図１のＢ−Ｂ線に沿う要部拡大断面図。
【図５】指の操作位置が二点鎖線で示される図１のＡ−Ａ線に沿う断面図。
【図６】本発明の第２の実施形態に係る魚釣用電動リールの平面図。
【図７】図６のＣ−Ｃ線に沿う断面図。
【図８】指の操作位置が二点鎖線で示される図６のＣ−Ｃ線に沿う断面図。
【図９】（ａ）〜（ｉ）を含み、仕掛けを放出した後の一般的な操作を順に説明する図。
【図１０】本発明の第３の実施形態に係る魚釣用電動リールの平面図。
【図１１】図１０のＤ−Ｄ線に沿う断面図。
【図１２】図１１の操作部材付近の要部拡大平面図。
【図１３】図１１の操作部材付近の要部拡大断面図。
【図１４】本発明の第４の実施形態に係る魚釣用電動リールの平面図。
【図１５】図１４のＥ−Ｅ線に沿う断面図。
【図１６】本発明の第５の実施形態に係る魚釣用電動リールの平面図。
【図１７】図１６のＦ−Ｆ線に沿う断面図。
【発明を実施するための形態】
【００２０】
以下、図面を参照しながら、本発明に係る魚釣用電動リールの実施形態について説明する。  
図１〜図５は本発明の第１の実施形態を示す図であり、図１は平面図、図２は内部機構を部分的に示した平面図、図３は図１のＡ−Ａ線に沿う断面図、図４のＢ−Ｂ線に沿う要部拡大断面図、図５は指の操作位置が二点鎖線で示される図１のＡ−Ａ線に沿う断面図である。  
なお、以下の説明において、前後方向、左右方向、上下方向は、図２および図３に記載の方向と定義する。
【００２１】
図１に示すように、本実施形態に係る魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７がスプール軸７ａ（図３および図５参照）を中心に回転可能に支持されている。また、本実施形態では、図２，３，５に示すように、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。
【００２２】
なお、駆動モータ８については、スプール７の内部に設置する構成であっても良いが、本実施形態のように、スプール７の前方に設置することで、スプール７の糸巻き量を確保しつつ、リール本体５を可及的にコンパクト化することが可能となる。また、動力伝達機構１０については、駆動モータ８の回転駆動力を減速してスプール７側に伝達する機能（減速機構１０２および伝達ベルト１０１（図２参照）などによって果たされる）、駆動モータ８が回転駆動しても手動ハンドル６を連れ回しさせない機能や手動ハンドル６の逆回転を防止する機能（ラチェット１０４を含む）などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図中（特に図２）、符号１１６は、ハンドル６に結合されたハンドル軸、符号１１８は、ハンドル軸１１６に回転可能に支持されたドライブギヤ、符号１２０は、ドライブギヤ１１８に噛合するピニオンであり、これらは前述した動力伝達機構１０を構成する。また、図中、符号１２５は、魚釣時にスプール７から釣糸が繰り出された際にスプール７の回転にドラグ力を付与する公知のドラグ機構であり、リール本体５とハンドル６との間には、ドラグ機構１２５によるドラグ力の調整を行なうための星型のドラグ調整ノブ（スタードラグ）１３９が設けられている。
【００２３】
また、スプール７の前方の左右側板５Ａ，５Ｂ間には、スプール７に対して均等に釣糸を巻回する機能を備えた公知のレベルワインド機構１４２（図３および図５参照）が設置されている。さらに、リール本体５を構成する左右側板５Ａ，５Ｂ間のスプール７の上方には、駆動モータ８を制御する制御部１００（図示しない制御基板を有する）を収容した箱型の制御ケース１５が配設されている。
【００２４】
また、リール本体５内には、ピニオン１２０を軸方向に移動させてスプール７を釣糸巻き取り状態／フリー回転状態に切り換える公知のクラッチ機構（図示せず）が配設されている。このクラッチ機構は、動力伝達機構１０に介在されて手動ハンドル６および駆動モータ８からの動力伝達を継脱する機能を備えており、本実施形態では、右側板５Ｂ側に設置されている。
【００２５】
前記クラッチ機構は、右フレーム３ｂに回動可能に支持された公知のクラッチプレートを備えており、このクラッチプレートには、動力伝達をＯＮ状態からＯＦＦ状態に切り換える（スプールを釣糸巻き取り状態からフリー回転状態に切り換える）クラッチＯＦＦ切換部材１８が係合している。本実施形態におけるクラッチＯＦＦ切換部材１８は、スプール７をサミングしながら操作が可能となる位置、具体的には、スプール７の後方側の左右側板５Ａ，５Ｂ間に橋設された構成となっており、図３に示す状態から、その表面となる操作部（クラッチＯＦＦ操作部）１８ａに親指を載置して下方に押し下げ操作することで、クラッチ機構をＯＮ状態からＯＦＦ状態に切り換えるよう構成されている。すなわち、クラッチＯＦＦ切換部材１８は、図５に示すクラッチＯＮ状態において、リール本体を把持している状態の手の指（親指Ｔ）でスプール７をサミングしている状態からそのまま後方にシフトし、操作部１８ａに載置してクラッチＯＦＦ操作ができるように配置されている。この場合、クラッチＯＦＦ切換部材１８は、前記クラッチプレートと右フレーム３ａとの間に設けられた図示しない振り分け保持バネによって、クラッチＯＮ位置とクラッチＯＦＦ位置との間で振り分け保持される。換言すれば、クラッチＯＦＦ切換部材１８の押圧操作によって、前記クラッチプレートは、クラッチＯＮ位置とクラッチＯＦＦ位置との間で回動し、各々の位置で前記振り分け保持バネによって振り分け保持される。公知のように、クラッチプレートがクラッチＯＦＦ位置に回動されると、その表面に形成された一対のカム（図示せず）がピニオン１２０に係合しているアーム部材（図示せず）を軸方向に移動させ、これによりピニオン１２０とスプール軸７ａとの動力伝達状態を解除する（クラッチＯＦＦ状態）。
【００２６】
また、動力伝達をＯＦＦ状態からＯＮ状態に切り換える（スプールをフリー回転状態から釣糸巻き取り状態に切り換える）クラッチＯＮ切換部材１９は、前記クラッチプレートをクラッチＯＦＦ位置からクラッチＯＮ位置に回動させるように機能する。このクラッチＯＮ切換部材１９は、竿とリールとを片手で把持する場合にその把持している手の親指が届くように構成されるのが好ましく、本実施形態では、スプール７のフランジ７ｂの径方向外側でクラッチＯＦＦ切換部材１８の位置に近い右側板５Ｂの上面に押圧ボタンの形態を成して設けられる。
【００２７】
また、リール本体５には、駆動モータ８に対して電力を供給するための給電部２０が設けられている。この給電部２０は、左側板５Ａの前方側の下面領域に形成されており、この給電部２０に対しては、着脱可能な携帯バッテリ（図示せず）を装着したり、或いは、足元に置いたバッテリや釣り船に設置されている電源部から電力供給される給電コードが装着される。
【００２８】
また、制御ケース１５は、図３および図５に示すように、駆動モータ８及びレベルワインド機構１４２を覆う程度の軸方向長さで延在するが、スプール７の上方でその支軸（この支軸としては、本実施形態ではスプール７の外側に駆動モータ８が配置されているためスプール軸（スプール回転軸）７ａが該当するが、スプール７の内部に駆動モータ８が配置される別の形態ではスプール軸７ａが存在しないためモータ８の回転軸が該当する）近傍から、レベルワインド機構１４２および駆動モータ８を覆うような軸方向長さを備えていても良い。
【００２９】
制御ケース１５の後方側には、駆動モータ８の出力を調整するモータ出力調整用の操作部材３０が配置されている。本実施形態の操作部材３０は、スプール７（スプール軸７ａ）の上方でスプール７のフランジ７ｂ外周近傍における側板のいずれか一方の内側壁部、特に本実施形態ではハンドル６側の右側板５Ｂの内側壁部に変位可能に設けられており、スプール７をサミング操作する手の親指Ｔで操作可能となっている（図５参照）。このように、ハンドル６側の右側板５Ｂの内側壁部に操作部材３０を設けると、竿とリールとを握る左手の指（反ハンドル側の手の指）で操作部材３０を容易に操作でき操作性を向上できる。
【００３０】
また、本実施形態の操作部材３０は、スプール７のスプール軸７ａをほぼ中心とする円弧状の経路に沿ってスライド操作できるようになっている。具体的には、図４に示すように、操作部材３０は、スプール７のフランジ７ｂの上側において、右側板５Ｂ（右フレーム３ｂ）から内側に向けて所定量突出するように設けられており、操作部材３０の右側板側に形成された接続部３０ａが右側板５Ｂの右フレーム３ｂのスライド孔（貫通孔）３ｂａを貫通している。スライド孔３ｂａは、スプール軸７ａをほぼ中心とする円弧状の経路を形成しており、操作部材３０のスライド範囲を規定する。スライド孔３ｂａを貫通する操作部材３０の接続部３０ａは、例えばネジ２０２を介して抜け止め部材２０８に接続固定される。抜け止め部材２０８は、摺動部材としての役割も兼ねており、右フレーム３ｂとこれに隣接する右カバー４ｂとによって画定される摺動空間２００内で右フレーム３ｂの外面（前記スライド孔３ｂａ周辺の外面）３ｂｂに摺接しながら摺動することにより、操作部材３０のスライド操作を案内する。なお、操作部材３０のスライド範囲は、短すぎるとモータの出力の微調整が難しくなり、長すぎると把持した手の指をそのまま動かして操作がし難くなることから、操作範囲は１０〜４０ｍｍであることが好ましい。また、接続部３０ａの断面形状は任意であるが、接続部３０ａの断面形状を非円形とすることにより接続部３０ａを抜け止め部材２０８に対する回転不能な接続に寄与でき有効である。
【００３１】
また、操作部材３０は、摺動子２０４を介して、操作部材３０の操作量（円弧状の経路に沿う操作量）を検知する検知手段、ここでは角度センサ１３０と関連付けられる。具体的には、図１および図３に示すように、摺動子２０４は、操作部材３０と一体に形成されるとともに、右フレーム３ｂの内面（前記スライド孔３ｂａ周辺の内面）３ｂｂに摺接しながら移動することにより、操作部材３０のスライド操作を案内し、更に、その前方側にラック２３０が一体に形成されている。このラック２３０には角度センサ１３０に回転角を伝えるピニオン２３２が噛合している。また、角度センサ１３０は、スプール調整ダイヤル２１０の反対側に位置されて、右側板５Ｂに形成された凸状の収納部１３３内にシール状態で収納されており、操作部材３０のスライド位置に応じた操作位置信号を出力する。すなわち、角度センサ１３０は、操作部材３０の操作位置に応じて前記ラック２３０を介して回転するピニオン２３２の回転位置に対応した操作信号を出力し、その操作信号に基づいて駆動モータ８の出力が（操作部材３０の操作位置に応じて）調整されるようになっている。
【００３２】
このことに関連して、制御ケース１５には、駆動モータ８の駆動を制御する前記制御部１００が収容されており、操作部材３０の回転操作量に応じて駆動モータ８の出力を調整するようになっている。この場合、制御部１００は、操作部材３０を前方に向けて摺動操作することで、駆動モータ８の出力が上昇するように設定されている。これにより、釣糸の巻き取りをする際、サミングしている（左手の）親指Ｔをそのまま右斜め前方に延ばして、操作部材３０を押し進めるような操作をする（図１の二点鎖線の親指Ｔ参照）ことで釣糸の巻き取り操作がスムーズに行えるようになり、指の動きが単純化され、一連の探り操作をする際の操作性の向上が図れるようになる。
【００３３】
操作部材３０の摺動操作量と駆動モータ８の出力との関係については任意である。本実施形態では、操作部材３０が、後端位置を基準位置としてモータの出力値０とし、そこから前方にスライド操作した際、モータ出力が増速するように設定されている（スライドさせる長さは任意であるが、上記したうように、１０〜４０ｍｍ程度が好ましい）。すなわち、前方方向に向けてスライド操作した際に増速とすることで、釣竿とリール本体を持つ手に負荷がかかる高速巻き取り時に、より前方を把持できるので、把持保持性が高くなり、操作性が良く、疲れ難くなる。
【００３４】
なお、操作部材３０については、後方に向けてスライド操作した際に、駆動モータ８の出力が上昇するように設定しても良い。
【００３５】
また、制御ケース１５の表面には、繰り出された釣糸の長さ（糸長情報）などを表示する表示部（液晶表示部）１６が設けられており、また、その周囲には、各種の情報が設定可能な複数の操作ボタン１６ａが配設されている。
【００３６】
制御ケース１５に収容される前記制御部１００は、魚釣用電動リールの動作を制御するＣＰＵ（Central Processing Unit）等を実装した制御基板（マイクロコンピュータ）及び各種駆動回路を実装した回路基板を備えており、これらは、省スペース化のため、例えば、表示部１６の下方で上下方向に重なるように配置されている。すなわち、前記制御基板は、操作部材３０のスライド量（ラックを介して回転されるピニオンの回転量）に応じて操作位置信号を出力する角度センサ１３０、スプール７に巻回されている釣糸の繰り出し量を検知することが可能な糸長計測装置、制御ケース１５上に設けられた液晶表示部１６に対して各種の情報を表示させる表示制御回路、制御ケース１５上に設けられた操作ボタン１６ａ、および、駆動モータ８の出力を停止状態から高出力値まで連続的に増減調整するモータ駆動回路との間で信号の送受信を行い、魚釣用電動リールの動作を制御する。
【００３７】
以上説明したように、本実施形態によれば、スプール７のフランジ７ｂ外周近傍における右側板５Ｂの内側壁部に操作部材３０が変位可能に設けられているため（無論、左側板５Ａの内側壁部に設けられてもよい）、スプール７のサミング操作から釣糸巻き取り操作へと至る一連の操作を、リール本体５を握持する手の指でスムーズに行うことができる（手持ち状態で一連の操作をスムーズに行えるようになる）。一般に、リール本体５を掌で保持しながらスプール７（フランジ７ｂ外周や釣糸巻回部など）をサミング操作する親指Ｔは、スプール７の回転軸（スプール軸７ｂ）に対して斜めに位置した状態で当接されるのが自然である（図１参照）。本実施形態のように、モータ出力を調整する操作部材３０をスプール７のフランジ７ｂ外周近傍における右側板５Ｂの内側側壁に変位可能に設ければ、サミング操作する親指Ｔをその斜めに位置したままの状態で前方に移行させる（図１の矢印参照）だけで（スプール７のサミング状態から無理のない親指の移行操作で）操作部材３０を容易に操作できる（モータ８をスムーズに駆動操作できる）。また、本実施形態のように、スプール７をサミング操作する手の親指Ｔで操作部材３０を操作できるようになっていれば（図１および図５参照）、スプール７のサミング操作から釣糸巻き取り操作へと至る一連の操作を、リール本体５を握持する手の指で、サミングしている親指Ｔをスプール７のフランジ７ｂや釣糸巻回面から完全に離間させることなく、スムーズに行うこともできる。
【００３８】
また、本実施形態によれば、操作部材３０がスプール軸７ａをほぼ中心とする円弧状の経路に沿ってスライド操作可能であるため、操作部材３０を操作する指の操作方向がスプール７の回転方向に沿った前後方向となり、スムーズな操作が可能となる。
【００３９】
図６〜図９は本発明の第２の実施形態を示す図であり、図６は魚釣用電動リールの平面図、図７は図６のＣ−Ｃ線に沿う断面図、図８は指の操作位置が二点鎖線で示される図６のＣ−Ｃ線に沿う断面図、図９は（ａ）〜（ｉ）を含み、仕掛けを放出した後の一般的な操作を順に説明する図である。  
なお、本実施形態では、クラッチＯＮ切換部材１９の位置および構成が異なっており、それ以外については、上記した第１の実施形態と同様に構成されているため、第１の実施形態と同一の構成部材については同一の参照符号を付し、詳細な説明については省略する。
【００４０】
本実施形態において、クラッチＯＮ切換部材１９は、その操作部（クラッチＯＮ操作部）１９ａが、図８に示すようにスプール７をサミングしている指（親指）Ｔが届く位置、すなわち、親指Ｔの腹部でスプール７の表面を押し当てている状態のまま、それ以外の部位で操作ができるように、スプール７の上方でスプール７のフランジ７ｂ外周近傍における左フレーム（側板）３ａの内面から突出し、その内面に沿って移動可能に配設されている。具体的に、操作部１９ａは、図６に示すように、制御ケース１５の後端近傍の左側板５Ａ側において、左フレーム３ａから内側に向けて突出するように配設されており、この操作部１９ａは、クラッチＯＦＦ切換部材１８と一体的に連動するように構成されている。すなわち、クラッチＯＮ切換部材１９は、左フレーム３ａに配設され、スプール７のフランジ７ｂの径方向外側で円弧状に移動可能な連結部１９ｂを備えており、この連結部１９ｂには、その一端側に前記操作部１９ａが、他端側に前記クラッチＯＦＦ切換部材１８の左側板側の端部が一体的に連結されている。
【００４１】
このため、図７の矢印Ｄ３で示すように、クラッチＯＦＦ切換部材１８の操作部１８ａを押圧操作すると、クラッチＯＮ切換部材１９の操作部１９ａは、矢印Ｄ４で示すように、円弧状に移動する連結部１９ｂとともに、スプール７のフランジ７ｂに沿うように円弧状に移動する。そして、クラッチＯＦＦで切り換え保持される位置は、側面視した際、クラッチＯＦＦ切換部材１８の操作部１８ａに親指Ｔの根元側腹部を載置して中間腹部でスプール７をサミングでき、かつ、先端部で、クラッチＯＮ切換部材１９の操作部１９ａに当接できる位置に設定されている。
【００４２】
次に、本実施形態の魚釣用電動リールを用いて、実際に船釣りをする際の動作（コマセ釣りを例にして説明する）について図９を参照して説明する。なお、以下に例示する一連の魚釣り操作は、釣竿とともにリール本体を把持した手持ち状態で行うことが可能である。
【００４３】
最初に、釣竿とともにリール本体５を把持している手の親指Ｔで、スプール７の後方側に配設されているクラッチＯＦＦ切換部材１８の操作部１８ａを押し下げ操作することで、クラッチ機構をＯＮ状態からＯＦＦ状態に切り換える。クラッチ機構をＯＮ状態からＯＦＦ状態に切り換えると、スプール７はフリー回転状態となり、仕掛けは、図９（ａ）〜図９（ｂ）に示すように落下する。このとき、クラッチＯＮ切換部材１９は、連結部１９ｂとともに、図７の矢印で示すように、スプール７のフランジ７ｂに沿うように円弧状に移動し、その操作部１９ａは、スプール７をサミングしている状態で押圧操作可能な位置に停止する（図８参照）。また、仕掛けが落下して着底（所定の棚に到達）するまでは、バックラッシュが生じ易いものの、リール本体５を把持している親指Ｔを、そのままクラッチＯＦＦ切換部材１８の操作部１８ａから釣糸表面に延ばしてサミングすることで、バックラッシュを防止することが容易に行える。
【００４４】
この場合、操作部１８ａに親指Ｔを載置した状態でサミング操作できるため、クラッチＯＦＦに切り換え操作した一瞬に釣糸Ｓが落下して棚が狂ってしまうようなこともない。また、仕掛けを投入する際、サミングしながらクラッチＯＦＦできるので、操作部１８ａに指を掛けた瞬間に釣糸Ｓが急速に出てバックラッシュすることもない。さらに、特定の棚で魚信を待っているときにおいても、直ぐに、意図する棚へ意図するスピードで仕掛けを落下することができる。なお、サミングは、スプールに巻回された釣糸Ｓに、直接、親指の腹部を押し当てても良いし、指の側部でスプールのフランジに接触させても良い。
【００４５】
仕掛けが着底したり、所定の棚まで落下した際（通常、糸巻量は、ほぼ半分程度となるように設定されている）、サミングしている状態の親指Ｔをそのまま前方に伸ばして、クラッチＯＮ切換部材１９の操作部１９ａを押し上げるように操作することで、容易にクラッチＯＮに切り換えることが可能となる（図９（ｃ）参照）。このとき、サミングしたままの状態でクラッチＯＮ操作が行えるため、サミングが離れて釣糸Ｓがずり落ちるようなこと（棚が狂ってしまうこと）はない。
【００４６】
また、本実施形態では、スプール７のフランジ７ｂに沿うようにクラッチＯＮ切換部材１９の操作部１９ａを配置しているため、特に、糸巻量が少ない状態の場合、フランジ７ｂを直接サミングした状態からクラッチＯＮ操作が行い易くなる。
【００４７】
仕掛けが所定の棚（魚がいる下層域）まで落下した後、図９（ｄ）に示すように、釣竿を上下に振ってコマセ振りを行う。このとき、親指Ｔをサミングした状態で魚信感知することが可能となり、魚信感知しながら次のアクション（探り操作、巻き取り操作、アオリ操作など）を待機することができる。なお、サミングした状態での魚の魚信は、クラッチＯＮ状態であっても、スプールと逆転防止機構の間にギヤが複数噛合しているため、スプールは回転方向に遊度があり、その遊度を利用して感知することが可能となっている。また、図９（ｄ）に示すコマセ振りを行うときは、しっかりとリール本体５を把持した状態で魚信を感知しながら実施することができる。さらに、魚の魚信を待つのであれば、サミングしながら操作部材３０に親指Ｔを当てておくこともできる（図１参照）ため、魚信があった場合は、直ちに巻き取り操作に移行することが可能となる。
【００４８】
実際に探り操作をする場合、魚のいる棚を集中的に探るように、例えば、図９（ｄ）〜図９（ｆ）で示すように実行される。すなわち、図９（ｄ）に示すように、コマセカゴを振ってコマセを放出した後は、棚の上層域まで低速巻き取り駆動操作してエサをコマセ放出領域まで巻き上げる（図９（ｅ）参照）。このとき、仕掛けの巻き取り駆動は、サミングしている親指Ｔの先端を右斜め前方に若干押し出して操作部材３０に当て付け、操作部材３０をそのままスライドさせることで行うことが可能である（図１参照）。
【００４９】
そして、棚の上層域まで仕掛けを巻き上げた後、再び仕掛けを所定の棚（魚がいる下層域）まで落下させる（図９（ｆ）参照）。この操作は、操作部材３０に親指Ｔの先端側を当てながらそのまま後方にずらして（図１の矢印と反対方向）、駆動モータ８の駆動をＯＦＦにし、さらに、そのまま親指Ｔの根元側でクラッチＯＦＦ切換部材１８の操作部１８ａを押し下げ操作することで行うことが可能である。このとき、スプール７はフリー回転状態となり、仕掛けは急速に落下するものの、そのまま親指Ｔの腹部でサミングすることができるため、その落下速度を容易に調整したり、仕掛けを所望の量だけ容易に落下させたり、緩急をつけた誘い落下することも可能となる。
【００５０】
そして、図９（ｄ）〜図９（ｆ）に示すような一連の操作（探り操作）においては、仕掛けの巻き取り（駆動モータの巻き取り駆動）、駆動モータの停止、クラッチＯＦＦ、クラッチＯＮの各操作が繰り返されるが、このような各操作は、上記したように、サミングしている親指Ｔを、そのまま右斜め前方にずらして巻き取り操作、後方にずらして駆動停止操作が行え、かつ、さらに後方にずらしてクラッチＯＦＦ、さらに、前方に伸ばしてクラッチＯＮできるため、上記のような一連の探り操作を、魚信を感知しながらスムーズかつ素早く行うことが可能となる。
【００５１】
さらに、所定の棚位置にある状態において、図９（ｇ）に示すような釣竿を上下に振るシャクリ操作や駆動モータを巻き上げながらのシャクリ操作、或いは、誘い操作を行って仕掛けを上昇させる操作を行うこともあるが（図９（ｈ）参照）、このようなシャクリ操作（誘い操作）をしながらの駆動モータの巻き上げ駆動は、サミング操作をすることが容易であるため、魚信も感知し易く、魚信があった場合は、直ちに巻き取り操作に移行することが可能となる。さらに、図９（ｉ）で示すように、釣竿を高くシャクリ上げたときにサミングしている親指で魚信があっても、直ちに、操作部材３０に当接する親指Ｔを移動して、そのまま巻き取り操作することでフッキングすることが可能となる。そして、魚をフッキングした後は、そのまま親指Ｔを側方にシフトして制御ケース１５を押さえ付けるようにしてリール本体を把持保持することもでき、安定した状態で釣竿を操作することが可能となる。
【００５２】
以上説明したように、本実施形態の構成によれば、クラッチＯＮ切換部材１９は、その操作部１９ａがスプールをサミングした状態で操作することが可能な位置に配置されているため、仕掛けを放出している状態（クラッチＯＦＦで仕掛けが落下している状態）において、クラッチをＯＮするまではサミング操作して釣糸の放出状態を調整することができ、狙った棚に意図したスピードで落下させ、かつ停止することが可能となる。これにより、外道にエサを食われたり、棚を修正する作業をする必要がなくなって機会ロスをなくすことができる。また、クラッチＯＮ状態で、サミング操作して魚信を感知しながら、操作部材３０に指を当接させておくことも可能（図１参照）であるため、魚信があった場合、直ちに巻き取り操作が行えるようになる。特に、シャクリ操作で釣竿を上げた際、そのままの巻き取り操作することで合わせ操作が行えるようになる。つまり、本実施形態では、クラッチＯＮ操作部１９ａがスプール７のフランジ７ｂ外周近傍における側板の内面に配置されているため、クラッチＯＦＦ操作による釣糸繰り出しから、クラッチＯＮ操作、更には、釣糸巻き取りへと至る一連の操作の際、常にサミング操作を行なうことができる。
【００５３】
図１０〜図１３は本発明の第３の実施形態を示す図であり、図１０は魚釣用電動リールの平面図、図１１は図１０のＤ−Ｄ線に沿う断面図、図１２は図１１の操作部材付近の要部拡大平面図、図１３は図１１の操作部材付近の要部拡大断面図である。  
なお、本実施形態では、モータ出力調整用の操作部材の構成が異なっており、それ以外については、上記した第１の実施形態と同様に構成されているため、第１の実施形態と同一の構成部材については同一の参照符号を付し、詳細な説明については省略する。
【００５４】
本実施形態のモータ出力調整用の操作部材３０Ａは、略水平面内で回転操作可能な略半円盤状を成している。操作部材３０Ａは、スプール７（スプール軸７ａ）の上方でスプール７のフランジ７ｂ外周近傍における側板のいずれか一方の内側壁部、特に本実施形態ではハンドル６側の右側板５Ｂの内側壁部（これにより、前述したように釣竿とリールとを握る左手の親指（反ハンドル側の手の親指）で操作部材３０Ａを容易に操作できる）に回転可能（略水平面内で回転可能）に設けられており、スプール７をサミング操作する手の親指Ｔで操作可能となっている。
【００５５】
この場合、操作部材３０Ａは、１８０度を下回る所定の角度範囲分だけが常に右側板５Ｂの内側壁部から（スプール７の上方側に）突出するように右側板５Ｂに組み込まれており、操作部材３０Ａの回転操作によって右側板５Ｂから突出することがない操作部材３０Ａの部位は円弧を形成することなく途切れ、それにより、略半円盤形状を形成して省スペース化を図っている。また、操作部材３０Ａには、右側壁部から突出する領域に、突起３０ａを形成しておくことが好ましい。このような突起３０ａを設けることで、操作部材３０Ａの初期位置を特定して、実際の操作位置（モータの出力状態）を容易に把握させることが可能となる。
【００５６】
また、操作部材３０Ａは、ラック・アンド・ピニオン機構を介して、操作部材３０Ａの操作角度（回転角度）を検知する検知手段、ここでも角度センサ１３０と関連付けられる。具体的には、図１２および図１３に明確に示されるように、操作部材３０Ａは、右側板内において上下方向に延びる回転軸２４０に保持されており、この回転軸２４０には、第１のピニオン２４１が固定されている。そして、この第１のピニオン２４１には、右側板５Ｂ側（リール本体５側）に、前後方向に摺動可能に設けられたラック２４２の一端側Ｘの側面歯２４２ａが噛み合い、また、ラック２４２の他方側Ｙの下面歯２４２ｂには角度センサ１３０に回転量を伝える第２のピニオン２４３が噛み合っている。また、第１の実施形態と同様、角度センサ１３０は、スプール調整ダイヤル２１０の反対側に位置されて、右側板５Ｂの凸状の収納部１３３内にシール状態で収納されており、前記ラック２４２の下面歯２４２ｂに噛合するピニオン２４３の回転量を検出するようになっている。すなわち、角度センサ１３０は、前記操作部材３０Ａを回転操作した際、前記第１のピニオン２４１、ラック２４２、及び第２のピニオン２４３を介して、操作部材３０Ａの操作位置に応じた操作信号を出力し、その操作信号に基づいて駆動モータ８の出力が調整されるようになっている。
【００５７】
このように、本実施形態では、操作部材３０Ａが略水平面内で回転操作可能であるため、操作部材３０Ａの設置スペースを小さく確保しつつ大きな操作範囲を得ることができ、モータ出力の微調整が可能となる。また、操作部材３０Ａは、水平面内で回転操作する構成であるため、操作する指の操作方向がスプール７の回転方向に沿った前後方向となり、スムーズな操作が可能となる。
【００５８】
図１４および図１５は本発明の第４の実施形態を示す図であり、図１４は魚釣用電動リールの平面図、図１５は図１４のＥ−Ｅ線に沿う断面図である。
なお、本実施形態では、モータ出力調整用の操作部材３０Ａの位置が第３の実施形態と異なっており、それ以外については、第３の実施形態と同様に構成されているため、第３の実施形態と同一の構成部材については同一の参照符号を付し、詳細な説明については省略する。
【００５９】
図１４に明確に示すように、本実施形態では、右側板５Ｂと制御ケース１５との境界部付近（スプール７を露出させる開放部の右前方角部付近）に第３の実施形態と同様の構成の操作部材３０Ａが設けられている。すなわち、操作部材３０Ａは、制御ケース１５の後端面と、右側板５Ｂの内側面との間で、水平面で略９０°の操作角度で回転操作可能に露出した状態となっている。この場合、この操作部材３０Ａの設置位置に起因して、角度センサ１３０の設置位置は、制御ケース１５の表示部１６の右側部付近となっている。したがって、この構成では、操作部材３０Ａの少なくとも一部（回転軸部も含む）が右側板５Ｂに設けられ、他の一部が制御ケース１５に設けられてもよく、また、ラック・アンド・ピニオン機構が制御ケース１５側に設けられてもよい。
【００６０】
このように、本実施形態では、操作部材３０Ａが右側板５Ｂと制御ケース１５との境界部付近に設けられるため、操作部材３０Ａを操作しながら親指Ｔで上側からスプール７を押さえつけることができ、したがって、リールの把持安定性が高く、魚の引きに対処し易い。また、操作部材３０Ａは、左側板５Ａ、右側板５Ｂ、及び制御ケース１５で囲まれた解放部の角部に設置されていることから、リール本体を握り込んだ際、感覚的に、親指でその操作位置を把握することが容易となり、例えば、釣竿を大きくシャクリ上げてリール本体が見えない状況であっても、操作部材の位置を的確に把握し易くなる。
【００６１】
図１６および図１７は本発明の第５の実施形態を示す図であり、図１６は魚釣用電動リールの平面図、図１７は図１６のＦ−Ｆ線に沿う断面図である。  
なお、本実施形態では、モータ出力調整用の操作部材の操作角度を検出するための検出機構が第１の実施形態と異なっており、それ以外については、第１の実施形態と同様に構成されているため、第１の実施形態と同一の構成部材については同一の参照符号を付し、詳細な説明については省略する。
【００６２】
図示のように、本実施形態において、操作部材３０Ｂは、前方へ向けて（駆動モータ８側へ向けて）斜め上方へ直線的にスライド操作できるようになっている。具体的には、操作部材３０Ｂは、スプール７のフランジ７ｂの上側で、右側板５Ｂの内側壁部から内側に向けて所定量突出しており、操作部材３０Ｂから右側板内に突設された接続部３０Ｂａが、右側板５Ｂの右フレーム３ｂのスライド孔（貫通孔）３ｂａ’を貫通している。スライド孔３ｂａ’は、前方へ向けて斜め上方へ直線的に延びており、操作部材３０Ｂのスライド範囲を規定する。スライド孔３ｂａ’を貫通する操作部材３０Ｂの軸部３０Ｂａは、スライド式センサ、例えば可変抵抗器２５６に摺接しており、例えば操作部材３０Ｂの操作位置に応じて可変抵抗器の抵抗値を変化させて駆動モータ８に流れる電流値を変えることができるようになっている。これにより、駆動モータ８の出力が操作部材３０Ｂの操作位置に応じて調整することが可能である。
【００６３】
このように、モータの出力を調整する操作部材の操作量を検知する検知手段については、適宜変形することが可能であり、本実施形態のように、スライド式センサ２５６によって操作部材３０Ｂの操作量を検出する構成では、機構が単純化されるとともに、スペースに余裕があるやや大きめのリールに適した構成となる。
【００６４】
以上、本発明の実施形態について説明したが、本発明は、前述した実施形態に限定されず、その要旨を逸脱しない範囲で種々変形して実施できる。例えば、前述した実施形態では、操作部材が前後スライド移動または水平回転移動によって変位されるが、その変位形態は任意である。また、前述した実施形態では、操作部材が右側板に設けられているが、左側板に設けられても構わない。また、操作部材の構造形態についても適宜、変形することが可能である。さらに、前述した実施形態では、手持ち保持される小型の電動リールを例示したが、釣竿を両手で手持ち保持する中型以上の電動リールにも本発明を適用可能である。この場合、操作部材については、スプールをサミングすることなく操作可能な位置に設置されていてもよい。
【符号の説明】
【００６５】
１  魚釣用電動リール
５  リール本体
５Ａ，５Ｂ  左右側板
６  手動ハンドル
７  スプール
７ａ  スプール軸
７ｂ  フランジ
８  駆動モータ
１９  クラッチＯＮ切換部材
１９ａ  操作部（クラッチＯＮ操作部）
３０，３０Ａ，３０Ｂ  操作部材
【図１】
0005797040.tif 000002
【図２】
0005797040.tif 000003
【図３】
0005797040.tif 000004
【図４】
0005797040.tif 000005
【図５】
0005797040.tif 000006
【図６】
0005797040.tif 000007
【図７】
0005797040.tif 000008
【図８】
0005797040.tif 000009
【図９】
0005797040.tif 000010
【図１０】
0005797040.tif 000011
【図１１】
0005797040.tif 000012
【図１２】
0005797040.tif 000013
【図１３】
0005797040.tif 000014
【図１４】
0005797040.tif 000015
【図１５】
0005797040.tif 000016
【図１６】
0005797040.tif 000017
【図１７】
0005797040.tif 000018